(57)【要約】      （修正有）【課題】使用者が片手でビニール袋を引きちぎることができるとともに、その手で直接袋の口を開けることのできる袋体の構造を提供する。【解決手段】開け口１３と、袋底シール線１４とからなる袋体１の構造において、袋底シール線の一角には隣り合う両辺に斜めに連接される密封部１０が設けられ、密封部の外側には隣り合う両辺に斜めに連接される引き裂き部１１が設けられ、引き裂き部の外側には吊り下げ孔１２が穿設される。複数の袋体を、上下に重ねる方法で組み合わされることができ、焼き付ける方法で各袋体を突き抜ける吊り下げ孔が設けられ、吊り下げ孔はその周縁部がまとめて連結されることで、複数の袋体を１つにまとめて吊り下げることができる。任意の形のフックに吊り下げ孔を掛け、使用者が開け口をつかむとともに引きちぎることで、袋体は引き裂き部から切断される。【選択図】図１
0003228318.tif 000002
【実用新案登録請求の範囲】
【請求項１】
開け口と、袋底シール線と、からなる袋体の構造であって、前記袋体の構造における袋底シール線の一角には、隣り合う両辺に斜めに連接される密封部が設けられ、前記密封部の外側には、さらに、隣り合う両辺に斜めに連接される引き裂き部が設けられ、前記引き裂き部の外側には、さらに、吊り下げ孔が穿設されることを特徴とする、袋体の構造。
【請求項２】
前記密封部は、前記引き裂き部と平行であることを特徴とする、請求項１に記載の袋体の構造。
【請求項３】
前記密封部と前記袋底シール線が接合される一端は、弧線状であることを特徴とする、請求項１に記載の袋体の構造。
【考案の詳細な説明】
【技術分野】
【０００１】
本考案は、袋体の構造の技術分野に関し、特に、吊り下げることができるとともに袋の口をすぐに開けることのできる袋体の構造に関する。
【背景技術】
【０００２】
ビニール袋は、現代の生活において、買い物の際に欠かせない物となっており、業務用のビニール袋は、通常ロール式または吊り下げ式である。しかしながら、ロール式のビニール袋は、枚数が非常に多く短期間で使い切ることができないため、露店で使用される場合、閉店時に片づけ、開店時に再度取り出して設置しなければならないため手間がかかる。さらに、ロール式ビニール袋は芯を備えるため、全体的にさらに重く、芯の材質及びロール式ビニール袋のサイズによって異なるが、一般に、芯の重さは全体の重さの５〜２０％を占める。従って、ロール式ビニール袋は、持ち運びに不便であり、芯は廃棄しなければならないごみの体積及び重量を増やすため、環境に負担を与えてしまう。
【０００３】
従来の吊り下げ式ビニール袋は、袋の口に引き裂き部があるため、使用者はビニール袋の底部をつかんで引きちぎってから、袋の口を開けて使用する。しかしながら、使用者は、このように、ビニール袋を引きちぎった後、袋の口を持てるように両手でビニール袋を回してから、袋の口を開けて使用しなければならず、使用方法が比較的面倒である。ロール式ビニール袋を使用する際、使用者は通常、ロール式ビニール袋が引っ張られて回転しないように片手でロール式ビニール袋を固定した後、もう一方の手でビニール袋を引きちぎって使用しなければならないため、同様に使用方法が面倒であるとともに、ロール式ビニール袋には、固定された引き抜き方向がないため、使用者は、まず自分でロール式ビニール袋の最先端の開け口がどこかを探してからでなければ引きちぎることができず、非常に不便である。
【考案の概要】
【考案が解決しようとする課題】
【０００４】
本考案は、底部に封合部及び引き裂き部が斜設されることで、使用者が片手でビニール袋を引きちぎることができるとともに、その手で直接袋の口を開けることのできる袋体の構造を提供することを目的とする。
【課題を解決するための手段】
【０００５】
上述の目的を達成するため、本考案の袋体の構造は、開け口と、袋底シール線を備える。本考案の特徴として、各袋体の構造における袋底シール線の角には、隣り合う両辺に斜めに連接される密封部が設けられ、密封部の外側には、さらに、隣り合う両辺に斜めに連接される引き裂き部が設けられ、引き裂き部の外側には、吊り下げ孔がさらに穿設される。複数の本考案は、上下に重ねる方法で組み合わされ、さらに、焼き付ける方法で各本考案を突き抜ける吊り下げ孔が設けられ、各本考案の吊り下げ孔は、その周縁部がまとめて連結されているため、複数の本考案を１つにまとめて吊り下げることができる。密封部は、引き裂き部とほぼ平行であることができる。密封部と袋底シール線が接合される一端は弧線状であることで、密封部の前記一端の延在方向は、徐々に変化した後、袋底シール線と接合される。
【考案の効果】
【０００６】
本考案を使用する場合、吊り下げ孔を任意の形のフックに吊り下げると、本考案の袋の口は下を向いていることで、使用者が本考案の袋の口をつかむとともに下向きに力を加えると、本考案は引き裂き部から切断されるため、使用者は本考案を簡単に取って使用できるとともに、その手で直接袋の口を開けることのできることにより、両手で本考案を回す必要がない。
【図面の簡単な説明】
【０００７】
【図１】本考案の斜視図である。
【図２】本考案における吊り下げた状態を示した図である。
【図３】本考案における引きちぎる状態を示した図である。
【考案を実施するための形態】
【０００８】
参照する図１から図３は、本考案の実施方法の図であり、上述の図で説明されている通り、本考案の袋体の構造１は、開け口１３と、袋底シール線１４と、からなる。その特徴として、袋体の構造１の底部（図中の袋底シール線１４）の一角には、隣り合う両辺に斜めに連接される密封部１０が設けられ、密封部１０の外側には、さらに、隣り合う両辺に斜めに連接される引き裂き部１１が設けられ、引き裂き部１１の外側には、さらに、吊り下げ孔１２が穿設される。複数の袋体の構造１は、上下に重ねる方法で組み合わされることができ、さらに、焼き付ける方法で各袋体の構造１を突き抜ける吊り下げ孔１２が設けられ、各袋体の構造１の吊り下げ孔１２は、吊り下げ孔１２の周縁部がまとめて連結されており、複数の袋体の構造１を１つにまとめて吊り下げることができるため、露店で使用するのに便利であり、露店は、重いロール式ビニール袋を持ち運んで移動させる必要がない。引き裂き部１１は、破線状の切断線であることができることで、袋体の構造１が引っ張られると、引き裂き部１１の位置から切断される。密封部１０は、引き裂き部１１とほぼ平行であることができる。密封部１０と袋底シール線１４が接合される一端は、弧線状であることができることで、密封部１０の前記一端の延在方向は、徐々に変化した後、袋底シール線１４と接合される。
【０００９】
図２及び図３において、本考案を使用する場合、任意の形のフック、例えばＳ字型フックに吊り下げ孔１２を直接吊り下げ、この時、開け口１３は自然に下を向いているため、使用者は開け口１３をつかんでから、下向きに力を加えると、袋体の構造１の引き裂き部１１が切断されるとともに袋体の構造１を外すことができ、引き裂き部１１は密封部１０の外側に位置するとともに、密封部１０は密封構造であるため、引き裂き部１１が切断されても袋底シール線１４の密封には影響を及ぼさない。本考案において、密封部１０、引き裂き部１１、及び、吊り下げ孔１２は、元々使用されることのない角のスペースに設けられるため、上述の構造が増設されることで増える容積を最小限に抑えることができる。例えば、固体物質は、基本的に角のスペースを使い切ることはできないため、上述の構造が増設されたとしても固体物質を入れるのには影響を及ぼさす、流体物質が入れられたとしても角のわずかな容積が減らされるだけである。
【００１０】
使用者は、開け口１３を直接つかんで袋体の構造１を外し、その手で直接開け口１３を開けて物を入れることができることで、本考案は、使用者が袋体の構造１を手に取って開けるのにかかる時間を減らすことができる。本考案は、顧客のニーズに応じて異なる数量の吊り下げ式ビニール袋を簡単に製造することができ、露店は１日に必要な数に応じて本考案を重ねる数を決めることができるため、大量のビニール袋を繰り返し持ち運んで移動させる回数を減らすことができる。本考案は、重く、持ち運びにくいロール式ビニール袋に比べてより軽便であり、不必要な芯のごみの量も減らすことができる。本考案を従来の吊り下げ式ビニール袋と比較した場合、本考案は、引きちぎった後、使用者は両手でビニール袋を回転させて使用する必要がないため、本考案は、ロール式ビニール袋または従来の吊り下げ式ビニール袋よりもさらに優れている。
【００１１】
従って、本考案は、さらなる進歩性と実用性を示しており、以下は、従来のロール式ビニール袋と比較した場合の分析結果である。従来のロール式ビニール袋の欠点は、以下の通りである。
【００１２】
一、組み合わされた特定の固定器具を使用する必要がある。
【００１３】
二、不必要なごみが生じる。
【００１４】
三、両手で取り扱う必要がある。
【００１５】
四、使用する際における各ビニール袋の袋の口の位置が決まっていない。
【００１６】
五、大量に持ち運ぶのが不便である。
【００１７】
本考案の長所は、以下の通りである。              
【００１８】
一、一般に使用されているフックで使用できる。
【００１９】
二、不必要な芯がなくされることで、体積及び重量が減らされる。
【００２０】
三、片手だけで引き抜くことができる。
【００２１】
四、袋の口が下向きに固定されているため、使用者が袋の口を探す面倒がない。
【００２２】
五、異なるニーズに合わせて各数量をカスタマイズすることができる。
【符号の説明】
【００２３】
１  袋体
１０  密封部
１１  引き裂き部
１２  吊り下げ孔
１３  開け口
１４  袋底シール線
２  フック
【図１】
0003228318.tif 000003
【図２】
0003228318.tif 000004
【図３】
0003228318.tif 000005